(57)【特許請求の範囲】
【請求項１】
元画像の縦横比に対応する対応枠に対してユーザが設定した設定枠に基づき、前記元画像から新画像を作成する画像作成手段を備える画像処理装置であって、
前記設定枠は、前記対応枠から、縦方向および横方向の何れか一方にのみはみ出しており、
前記画像作成手段は、
前記元画像を、前記対応枠内かつ前記設定枠内の画像に変換する元画像変換手段と、
前記対応枠外かつ前記設定枠内の画像領域を補填するための補填画像を作成する補填画像作成手段とを備えており、
前記元画像変換手段が変換した画像と、前記補填画像作成手段が作成した画像とを含む画像を前記新画像とし、
前記設定枠の、異なる複数の縦横比をユーザに提示し、ユーザからの指示に基づいて前記設定枠の縦横比を選択する縦横比選択手段をさらに備えることを特徴とする画像処理装置。
【請求項２】
ユーザに画像を表示するための外部の表示装置を制御する表示制御手段をさらに備えており、
該表示制御手段は、前記元画像を前記対応枠内の画像に変換した画像に、前記設定枠を合成して表示するように前記表示装置を制御することを特徴とする請求項１に記載の画像処理装置。
【請求項３】
前記補填画像を編集する編集手段をさらに備えており、
前記画像作成手段は、前記変換された画像と、前記編集手段が編集した補填画像とを含む画像を新画像とすることを特徴とする請求項１または２に記載の画像処理装置。
【請求項４】
被写体を撮影した撮影画像に編集処理を施して編集画像を作成することにより、前記撮影画像に前記編集画像を合成した合成画像を提供する撮影編集装置であって、
前記撮影画像または前記合成画像の縦横比に対応する対応枠に対してユーザが設定した設定枠に基づき、前記撮影画像または前記合成画像から新たな画像を作成する請求項１から３までの何れか１項に記載の画像処理装置を備えることを特徴とする撮影編集装置。
【請求項５】
請求項１から３までの何れか１項に記載の画像処理装置を動作させる画像処理プログラムであって、コンピュータを上記各手段として機能させるための画像処理プログラム。
【請求項６】
請求項５に記載の画像処理プログラムを記録したコンピュータ読み取り可能な記録媒体。
【請求項７】
元画像の縦横比に対応する対応枠に対してユーザが設定した設定枠に基づき、前記元画像から新画像を作成する画像処理方法であって、
前記設定枠は、前記対応枠から、縦方向および横方向の何れか一方にのみはみ出しており、
前記設定枠の、異なる複数の縦横比をユーザに提示し、ユーザからの指示に基づいて前記設定枠の縦横比を選択する縦横比選択ステップと、
前記元画像を、前記対応枠内かつ前記設定枠内の画像に変換する元画像変換ステップと、
前記対応枠外かつ前記設定枠内の画像領域を補填するための補填画像を作成する補填画像作成ステップとを含んでおり、
前記元画像変換ステップにて変換された画像と、前記補填画像作成ステップにて作成された画像とを含む画像を前記新画像とすることを特徴とする画像処理方法。
【発明の詳細な説明】
【技術分野】
【０００１】
本発明は、元画像の縦横比に対応する対応枠に対してユーザが設定した設定枠に基づき、前記元画像から新画像を作成する画像処理装置に関するものである。
【背景技術】
【０００２】
従来、例えばゲームセンターなどの娯楽施設において、ユーザの写真撮影を行うとともに、その写真を背景画像などと合成した上でシールプリントとして出力する写真撮影プリント装置が設置されており、特に女子高生の間で人気を博している。
【０００３】
また、この写真撮影プリント装置では、例えば、写真撮影が行われた後に、表示画面上に表示させた撮影画像に対して、タッチペンなどのポインティングデバイスによって落書き等の編集処理を施すことが可能となっている機種が普及している。この編集処理機能によって、ユーザは撮影画像に対して、例えば背景の色や模様を変更したり、文字やイラストなどを書き込んだりすることが可能となる（例えば特許文献１参照）。
【０００４】
さらに、これら撮影画像に編集処理を施した合成画像をユーザの携帯電話機等の携帯端末に送信するサービスも行われており、写真撮影プリント装置を利用した後も、ユーザは携帯端末で合成画像を利用できるような工夫がなされている（例えば特許文献２参照）。通常、上記サービスは、写真撮影プリント装置からインターネット上のサーバに上記合成画像を送信しておき、ユーザが携帯端末から上記サーバにアクセスすることにより行われている。上記サービスも好評を博しており、最近では大半のユーザが利用している。
【先行技術文献】
【特許文献】
【０００５】
【特許文献１】特開２０００−０６９４０４号公報（２０００年０３月０３日公開）
【特許文献２】特開２００１−３１３９１３号公報（２００１年１１月０９日公開）
【特許文献３】特開２００７−１９４７３４号公報（２００７年０８月０２日公開）
【発明の概要】
【発明が解決しようとする課題】
【０００６】
上記合成画像のアスペクト比は、例えば、紙の加工仕上り寸法系列であるＡ判およびＢ判のアスペクト比と同じ２１／２：１、正方形のアスペクト比である１：１などのように、固定されていることが一般的である。しかしながら、合成画像が送信される携帯電話機の表示画面は、現在のところ種々のアスペクト比が混在している。例えば、ＱＶＧＡ（Quarter-VGA）モードが可能な機種はアスペクト比が４：３であり、ＷＱＶＧＡ（Wide-QVGA）モードが可能な機種はアスペクト比が５：３である。さらに、特別なアスペクト比を有する機種も存在する。
【０００７】
また、携帯電話機のユーザは、受信した合成画像をインターネット上のサイトにアップロードする場合があるが、サイトによっては画像サイズが制限される場合がある。この画像サイズのアスペクト比は、例えば１：１など、サイトによって様々である。
【０００８】
従って、上記サービスは、上記写真撮影プリント装置または上記サーバにて、上記合成画像のアスペクト比と異なるアスペクト比であって、ユーザが所望するアスペクト比に上記合成画像を変換することが望ましい。この変換方法としては、例えば、上記アスペクト比に適合するように、上記合成画像を拡大または縮小することが考えられる。しかしながら、この場合、縦方向の倍率と横方向の倍率とが異なるため、変換後の合成画像は、歪んだ画像となり、見映えが悪い。
【０００９】
この問題点に対し、特許文献３では、携帯電話機の表示画面のアスペクト比に適合するように上記合成画像を切り抜いたり、上記合成画像を当該アスペクト比のフレーム画像に嵌め込み合成したりしている。しかしながら、上記切抜きの場合、上記合成画像においてユーザの所望する画像領域が、当該アスペクト比と異なるために欠落して、ユーザが失望する虞がある。また、上記嵌め込み合成の場合、上記フレーム画像の中に上記合成画像が含まれるので、上記合成画像においてユーザの所望する画像領域は、嵌め込み合成された画像全体に対する割合が小さくなり、ユーザが失望する虞がある。
【００１０】
本発明は、上記の問題点に鑑みてなされたものであり、その目的は、ユーザが所望する縦横比で、かつ、ユーザが所望する部分を切り抜くことのできる画像処理装置などを提供することにある。
【課題を解決するための手段】
【００１１】
本発明に係る画像処理装置は、元画像の縦横比に対応する対応枠に対してユーザが設定した設定枠に基づき、前記元画像から新画像を作成する画像作成手段を備える画像処理装置であって、上記課題を解決するために、前記設定枠は、前記対応枠から、縦方向および横方向の何れか一方にはみ出し可能であり、前記画像作成手段は、前記元画像を、前記対応枠内かつ前記設定枠内の画像に変換する元画像変換手段と、前記対応枠外かつ前記設定枠内の画像領域を補填するための補填画像を作成する補填画像作成手段とを備えており、前記元画像変換手段が変換した画像と、前記補填画像作成手段が作成した画像とを含む画像を前記新画像とすることを特徴としている。
【００１２】
また、本発明に係る画像処理方法は、元画像の縦横比に対応する対応枠に対してユーザが設定した設定枠に基づき、前記元画像から新画像を作成する画像処理方法であって、上記課題を解決するために、前記設定枠は、前記対応枠から、縦方向および横方向の何れか一方にはみ出し可能であり、前記元画像を、前記対応枠内かつ前記設定枠内の画像に変換する元画像変換ステップと、前記対応枠外かつ前記設定枠内の画像領域を補填するための補填画像を作成する補填画像作成ステップとを含んでおり、前記元画像変換ステップにて変換された画像と、前記補填画像作成ステップにて作成された画像とを含む画像を前記新画像とすることを特徴としている。
【００１３】
上記構成によると、新画像は、ユーザが設定した設定枠の縦横比となる。従って、ユーザが所望する縦横比の画像を新画像として取得することができる。また、元画像においてユーザの所望する画像領域の縦横比が設定枠の縦横比と異なっていても、設定枠を対応枠からはみ出させることにより、当該画像領域を設定枠内に収めることができる。従って、元画像においてユーザの所望する画像領域が、新画像において欠落することを防止できる。また、設定枠は、前記対応枠からはみ出す場合、縦方向および横方向の何れか一方であるので、両方にはみ出す場合に比べて、設定枠内の補填画像の占める割合が少なく、設定枠内に収められた当該画像領域の占める割合が大きい。その結果、ユーザの失望を回避することができる。
【００１４】
なお、設定枠に関して、ユーザが設定枠を直接設定してもよいし、ユーザが縦横比を設定し、設定された縦横比に基づいて設定枠を自動的に設定してもよい。また、補填画像としては、白一色の画像、黒一色の画像、ユーザが選択した画像など、任意の画像を選択できる。
【００１５】
本発明に係る画像処理装置では、ユーザに画像を表示するための外部の表示装置を制御する表示制御手段をさらに備えており、該表示制御手段は、前記元画像を前記対応枠内の画像に変換した画像に、前記設定枠を合成して表示するように前記表示装置を制御することが好ましい。この場合、元画像を変換した画像と、設定枠との位置関係をユーザが容易に把握でき、その結果、新画像をユーザが容易に推定することができる。
【００１６】
本発明に係る画像処理装置では、前記補填画像を編集する編集手段をさらに備えており、前記画像作成手段は、前記変換された画像と、前記編集手段が編集した補填画像とを含む画像を新画像としてもよい。この場合、補填画像に対しユーザが所望する編集を行うことができるので、ユーザの娯楽性を向上することができる。なお、元画像を変換した画像に対しても編集可能であってもよい。この場合、ユーザの娯楽性がさらに向上する。
【００１７】
なお、被写体を撮影した撮影画像に編集処理を施して編集画像を作成することにより、前記撮影画像に前記編集画像を合成した合成画像を提供する撮影編集装置であって、前記撮影画像または前記合成画像の縦横比に対応する対応枠に対してユーザが設定した設定枠に基づき、前記撮影画像または前記合成画像から新たな画像を作成する上記構成の画像処理装置を備えることを特徴とする撮影編集装置であれば、上述と同様の効果を奏することができる。
【００１８】
なお、上記画像処理装置における各手段を、画像処理プログラムによりコンピュータに実行させることができる。さらに、上記画像処理プログラムをコンピュータ読取り可能な記録媒体に記憶させることにより、任意のコンピュータ上で上記画像処理プログラムを実行させることができる。
【発明の効果】
【００１９】
以上のように、本発明に係る画像処理装置は、ユーザが所望する縦横比の画像を新画像として取得できるという効果と、元画像においてユーザの所望する画像領域の縦横比が設定枠の縦横比と異なっていても、設定枠を対応枠からはみ出させることにより、当該画像領域を設定枠内に収めることができるので、元画像においてユーザの所望する画像領域が、新画像において欠落することを防止できるという効果と、設定枠が前記対応枠からはみ出す場合、縦方向および横方向の何れか一方にはみ出すので、両方にはみ出す場合に比べて、設定枠内の補填画像の占める割合が少なく、設定枠内に収められた当該画像領域の占める割合が大きく、その結果、ユーザの失望を回避できるという効果とを奏する。
【図面の簡単な説明】
【００２０】
【図１】本発明の一実施形態に係る合成画像提供システムにおける写真撮影プリント装置の要部構成を示すブロック図である。
【図２】上記合成画像提供システムの概略構成を示すブロック図である。
【図３】上記写真撮影プリント装置の外観を示す斜視図である。
【図４】上記写真撮影プリント装置の編集部の正面図である。
【図５】上記写真撮影プリント装置の印刷部の正面図である。
【図６】上記写真撮影プリント装置の概略構成を示すブロック図である。
【図７】上記合成画像提供システムにおける画像保管サーバの概略構成を示すブロック図である。
【図８】上記写真撮影プリント装置の要部構成を示すブロック図である。
【図９】上記写真撮影プリント装置に表示される印刷用編集画面の一例を示す図である。
【図１０】上記写真撮影プリント装置に表示される画像サイズ設定画面の一例を示す図である。
【図１１】上記写真撮影プリント装置に表示される報知画面の一例を示す図である。
【図１２】上記写真撮影プリント装置に表示される送信用編集画面の一例を示す図である。
【図１３】上記写真撮影プリント装置に表示される警告画面の一例を示す図である。
【図１４】上記写真撮影プリント装置に表示される画像サイズ設定画面の別の例を示す図である。
【図１５】上記写真撮影プリント装置に表示される送信用編集画面の別の例を示す図である。
【図１６】上記写真撮影プリント装置に表示される画像サイズ設定画面の他の例を示す図である。
【図１７】上記写真撮影プリント装置に表示される送信用編集画面の他の例を示す図である。
【図１８】上記合成画像提供システムの各構成における処理の流れを示すフローチャートである。
【図１９】上記処理における画像編集処理の流れを示すフローチャートである。
【発明を実施するための形態】
【００２１】
本発明の実施の一形態について図面に基づいて説明すれば、以下の通りである。
【００２２】
（システムの全体構成）
図２は、本実施形態に係る合成画像提供システム１００の構成の概略を示すブロック図である。同図に示すように、合成画像提供システム１００は、複数の写真撮影プリント装置（撮影編集装置）１、画像保管サーバ２００、および複数の携帯電話機（通信端末）３００を備えた構成となっている。
【００２３】
写真撮影プリント装置１は、ユーザの写真を撮影する機能（撮影機能）、撮影した写真に対して落書きなどの編集をユーザに行わせる機能（編集機能）、および編集された画像をプリントする機能（プリント機能）を備えているものである。なお、これらの機能は全て必須であるものではなく、例えばプリント機能が省かれた構成とすることも可能である。
【００２４】
そして、写真撮影プリント装置１は、ユーザから料金を徴収することによって、上記のような機能をユーザに提供するようになっている。また、各機能に対して制限時間が設けられており、ユーザはこの制限時間内で各機能を利用することになる。
【００２５】
画像保管サーバ２００は、各写真撮影プリント装置１から撮影画像に対して編集処理が行われた画像である合成画像情報と、ユーザから入力されたメールアドレスの情報、ユーザの識別情報（ユーザＩＤ）などを含む付加情報とを受信して記憶するものである。そして、画像保管サーバ２００は、携帯電話機３００からのアクセスに応じて、上記合成画像情報を該携帯電話機３００に送信するものである。
【００２６】
なお、画像保管サーバ２００と各写真撮影プリント装置１との間は、通信媒体４００によって通信接続されている。この通信媒体としては、例えばＰＨＳ電話網と専用線接続との組合せなどが挙げられるが、通信形態については特に限定されるものではない。また、画像保管サーバ２００と各携帯電話機３００との間は、同様に通信媒体４０１によって通信接続されている。この通信媒体としては、例えば無線電話網とインターネットとの組合せなどが挙げられるが、通信形態については特に限定されるものではない。
【００２７】
携帯電話機３００は、例えば携帯電話網やＰＨＳ（登録商標：Personal Handyphone System）電話網などの無線電話網による電話機能を有するとともに、該無線電話網を用いたデータ通信機能および情報処理機能を有する情報処理端末である。なお、本発明に適用される情報処理端末は、携帯型電話機に限定されるものではなく、有線無線を問わず画像保管サーバ２００とデータ通信が可能であり、かつ情報処理を行うことが可能な情報処理端末であれば、どのような装置であってもよい。
【００２８】
また、本実施形態では、ユーザの携帯電話機３００のメールアドレスをユーザにより入力させるものであるとするが、例えば、写真撮影プリント装置１が携帯電話機３００から直接読み取り可能に設けられていても構わない。この場合には、写真撮影プリント装置１と携帯電話機３００とが近距離無線通信を行うものとする。これらの装置には、ＩＥＥＥ（Institute of Electrical and Electronics Engineers）８０２．１１ａ，１１ｂ，１１ｇなどに準拠した無線ＬＡＮ（Local Area Network）モジュールやＢｌｕｅｔｏｏｔｈ（登録商標）モジュール、あるいは、赤外線を介しての通信を行うモジュールなどよりなる近距離通信部を有しており、互いに近距離無線通信を行うことが可能とされている。しかし、これに限定されず、写真撮影プリント装置１と携帯電話機３００とは、また、例えばＵＳＢケーブル等の有線で接続される構成であってもかまわない。あるいは、近距離無線通信を行わず、画像保管サーバ２００及び写真撮影プリント装置１を接続する上記した広域ネットワークを介して接続するようになっていてもよい。
【００２９】
（合成画像提供システムの利用形態）
合成画像提供システム１００の利用形態について概略的に説明する。ユーザは、娯楽施設などに設置されている写真撮影プリント装置１を用いてゲームを行う。このゲームにおいて、ユーザは、写真撮影を行い、撮影画像に対する編集処理として、いわゆる落書きといった、撮影画像に編集画像を書き込む処理を行う。この編集処理の一環として、ユーザは、フレーム画像を選択して書き込み、専用のペンで思い思いの絵や文字を書き込み、あるいはスタンプを選択してスタンプの模様を、撮影画像に合成する。なお、この編集画像には動画を含んでもよい。
【００３０】
そして、撮影画像に編集画像を合成した合成画像を、写真撮影プリント装置１がプリントして出力することで、ユーザは、そのプリント物をゲームの成果として得ることができる。また、合成画像提供システム１００では、ユーザは携帯電話機３００に合成画像を送信することができる。この場合、ユーザは、携帯電話機３００のメールアドレスを写真撮影プリント装置１に登録（入力）することで、写真撮影プリント装置１は、合成画像情報、および、付加情報を画像保管サーバ２００に送信する。以上により、写真撮影プリント装置１でのユーザのゲームは終了する。
【００３１】
画像保管サーバ２００は、写真撮影プリント装置１から送られてくる合成画像情報、および、付加情報を互いに対応付けて記憶する。そして、画像保管サーバ２００は、ユーザのメールアドレスに対して、合成画像を取得することができるページのアドレス情報を示したメールを送信する。ユーザは、自己の携帯電話機３００を用いて、受信したメールに示されたアドレスのページにアクセスし、合成画像を取得することによって該合成画像を携帯電話機３００において表示させる。
【００３２】
また、写真撮影プリント装置１は、合成画像情報、および、付加情報を画像保管サーバ２００に送信する際、これらの対応付けを可能とする対応付け情報を送信データに含めることが好ましい。対応付け情報は、各情報のデータに含められて送信されてもよいし、各情報のデータとは別に送信されてもよい。
【００３３】
本実施形態では、写真撮影プリント装置１は、撮影画像（元画像）の縦横比に対応する対応枠に対してユーザが設定した設定枠に基づき、撮影画像から送信原画像（新画像）を作成し、作成された送信原画像に対し編集処理を施した送信画像の情報を上記合成画像情報として画像保管サーバ２００に送信している。ここで、上記設定枠は、上記対応枠から、縦方向および横方向の何れか一方にはみ出し可能である。また、撮影画像から送信原画像を作成するとき、撮影画像を、上記対応枠内かつ上記設定枠内の画像に変換する一方、上記対応枠外かつ上記設定枠内の画像領域を補填するための補填画像を作成し、変換された画像と作成された補填画像とを含む画像を上記送信原画像としている。
【００３４】
上記構成によると、送信原画像は、ユーザが設定した設定枠の縦横比となる。従って、ユーザが所望する縦横比の画像を送信原画像として取得することができる。また、撮影画像においてユーザの所望する画像領域の縦横比が設定枠の縦横比と異なっていても、設定枠を対応枠からはみ出させることにより、当該画像領域を設定枠内に収めることができる。従って、撮影画像においてユーザの所望する画像領域が、送信原画像において欠落することを防止できる。また、設定枠は、前記対応枠からはみ出す場合、縦方向および横方向の何れか一方であるので、両方にはみ出す場合に比べて、設定枠内の補填画像の占める割合が少なく、設定枠内に収められた当該画像領域の占める割合が大きい。その結果、ユーザの失望を回避することができる。
【００３５】
（写真撮影プリント装置の外観）
次に、写真撮影プリント装置１の外観構成について、図３〜図５を参照しながら以下に説明する。図３は、写真撮影プリント装置１の斜視図である。この写真撮影プリント装置１は、ユーザの写真を撮影する撮影部２と、撮影した写真（撮影画像）に対して落書きなどの編集をユーザに行わせる編集部３と、ユーザが編集を行った写真（編集画像）をプリント紙に出力する印刷部４とを有している。図３の（ａ）は写真撮影プリント装置１における撮影部２側からの外観を示し、図３の（ｂ）は編集部３および印刷部４側からの外観を示している。
【００３６】
図４は、編集部３ａの正面図である。なお、編集部３ｂの構成は、編集部３ａと同様であるので、ここでは図示しない。編集部３ｂは、編集部３ａの対面に設けられている。以下では、まとめて編集部３として説明する。
【００３７】
編集部３は、ユーザが撮影部２による撮影工程を終了した後に、撮影画像に対して落書きなどの編集工程を実行するためのものであり、タッチパネル部３１、タッチペン３２、および、音声出力部３３などで構成される。編集部３の各部は、制御部（画像処理装置、表示制御手段）１０によって制御される。上述の各部の詳細については後述する。
【００３８】
図５は、印刷部４の正面図である。本実施形態では、編集部３ａおよび編集部３ｂの側面に印刷部４を設けており、したがって、図５は、編集部３の側面を表している。印刷部４は、ユーザが編集部３による編集工程を終了した後の編集画像をシール紙にプリントして、プリントしたシール紙を排出するものである。本実施形態では、編集部３側面に、プリント排出口４４ａおよび４４ｂが設けられており、編集部３ａにて編集が行われた編集画像のシール紙は、プリント排出口４４ａから排出され、編集部３ｂにて編集が行われた編集画像のシール紙は、プリント排出口４４ｂから排出される。
【００３９】
上述のような構成の写真撮影プリント装置１において、ユーザは、まず撮影部２が備えられた撮影空間に入って撮影工程を実行し、その後、編集部３（編集部３ａまたは編集部３ｂ）が備えられた編集空間に移動して編集工程を実行し、印刷部４により撮影画像または編集画像のプリントされたシール紙を印刷空間にて受け取る、という流れでゲームの一連の工程を楽しむ。
【００４０】
以上のように、写真撮影プリント装置１は、撮影部２と編集部３とが別の空間に設けられている。よって、一組のユーザが編集部３において編集処理を行っている時でも、他のユーザが撮影処理を開始することが可能となっている。これにより、回転率を向上させることが可能である。
【００４１】
なお、編集部３における編集処理には、基本的には制限時間が設けられている。これに対して、別の利用者が撮影処理に入るまで編集処理時間を無制限にし、他のユーザが撮影処理を開始した時点から、編集処理に制限時間を設けるようにしてもよい。
【００４２】
また、本実施形態に係る写真撮影プリント装置１は図３の（ａ）および（ｂ）に示すとおり、編集部３を２つ備える構造となっており、第１の編集部３ａと第２の編集部３ｂとが対面に設置されている。このように、編集部３を撮影部２よりも多く設けることで、ボトルネックとなっている編集工程に係る処理時間を分散し、回転率を向上させることが可能である。しかし、本発明の写真撮影プリント装置１は、上述の構成に限定されない。編集部３の設置位置は特に限定しないし、また、設置数も、編集部３を１つ設ける構成としてもよいし、設置場所が確保できれば、３つ以上の編集部３を設けるようにしてもよい。
【００４３】
（写真撮影プリント装置の構成−概要）
次に、図６を用いて、写真撮影プリント装置１における制御部１０および写真撮影プリント装置１の各部の動作について説明する。図６は、本実施形態に係る写真撮影プリント装置１の要部構成を示すブロック図である。図示のように、写真撮影プリント装置１は、撮影部２、編集部３、印刷部４、通信部６、制御部１０、および、記録部５０を備えた構成である。
【００４４】
制御部１０は、写真撮影プリント装置１が備える上述の各部の動作を統括的に制御するものである。この制御部１０は、例えばＰＣ（personal computer）ベースのコンピュータによって構成される。そして、各種構成の動作制御は、制御プログラムをコンピュータに実行させることによって行われる。
【００４５】
このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１０がインターネットなどの通信ネットワークに接続された構成とする場合、この通信ネットワークを介して上記プログラムをダウンロードしてハードディスクなどにインストールして実行する形態なども考えられる。
【００４６】
写真撮影プリント装置１は、上記したハードディスクなどの不揮発性の記憶装置によって構成される記録部５０を備える。この記録部５０に記憶される内容としては、上記制御プログラム、ＯＳ（Operating System）プログラム、その他の各種プログラム、カメラ部２３における動作設定値、撮影画像および編集画像の画像データなどが挙げられる。上記カメラ部２３における動作設定値としては、写真撮影プリント装置１出荷時やメンテナンス時などに設定されるホワイトバランスの値、撮影画像の明暗などを調整する際の画像処理に関する各種パラメータ値などが挙げられる。
【００４７】
撮影部２は、撮影工程を実行するものであり、硬貨処理部２１、照明部２２、カメラ部２３、撮影画像表示部２４、カメラ画像表示部２５、および、操作部２６により構成されている。なお、ここには図示しないが、撮影部２には、ユーザに或る動作を促すよう音声案内を行うための音声出力部が含まれていてもよい。
【００４８】
硬貨処理部２１は、ユーザから料金の徴収を行う際の硬貨投入／返却処理を行うものである。所定の硬貨が投入されたと判定すると、制御部１０に通知する。そして、制御部１０は、硬貨処理部２１からの通知を受け取ると、課金処理を行う。すなわち、制御部１０は、硬貨処理部２１からの通知をカウントし、ユーザが投入した金額に応じて、ユーザに対する各種動作を制御する。
【００４９】
照明部２２は、撮影時にストロボランプなどの写真閃光灯として機能するとともに、通常時の照明として機能するものである。本実施形態では、光源としてフラッシュランプを使用しているが、蛍光灯などのような連続光を発する光源を使用することもできる。また、フラッシュランプの近傍に蛍光灯などを補助光源として設けることもできる。連続光の光源や補助光源を使用することにより、撮影前のライブビュー画像から撮影時の写りを推測することができる。
【００５０】
カメラ部２３は、主にユーザを被写体として写真撮影を行うものであり、例えばレンズ群、絞り、ＣＣＤ（charge coupled device）撮像素子などを備えたデジタルカメラによって構成される。カメラ部２３は、全身撮影とクローズアップ撮影との両方に対応できるように、例えば使用するレンズ群および絞りを切り替えられるような構成となっている。
【００５１】
撮影画像表示部２４は、ユーザにユーザインターフェイスを提供するものであり、各種画像や各種操作ボタン等を表示する。操作部２６は、写真撮影プリント装置１に対するゲームの操作をユーザが行うための指示信号を入力する入力デバイスである。本実施形態では、操作部２６を撮影画像表示部２４と一体としたタッチパネルとして実現する。すなわち、撮影画像表示部２４に、操作ボタンなどのＧＵＩ画面を表示する。撮影画像表示部２４の表示画面がユーザの指（または、タッチペンなどのポインティングデバイス）により押下されることにより、その位置に対応するボタンや画像を示す指示信号が、写真撮影プリント装置１内部に入力される。
【００５２】
撮影画像表示部２４は、例えば、液晶表示素子等のフラットパネルディスプレイやＣＲＴなどの表面にタッチパネルが設けられて構成されている。カメラ部２３が撮影した撮影画像を撮影画像表示部２４に表示することにより、ユーザは、撮影画像を確認することができる。なお、本実施形態では、操作部２６を撮影画像表示部２４と一体に設けたタッチパネルとして構成することとしたが、これに限定されず、操作部２６を、例えば、テンキーや十字キーなどが設けられたリモコンや、キーボードなどの入力デバイスとして構成してもよい。
【００５３】
カメラ画像表示部２５は、カメラ部２３がとらえるリアルタイムの映像、すなわち、撮影前のライブビュー画像を表示するものである。カメラ画像表示部２５にライブビュー画像を表示することにより、ユーザは前もって写りを確認して撮影に臨むことができる。
【００５４】
編集部３は、編集工程を実行するものであり、タッチパネル部３１およびタッチペン３２により構成されている。編集部３には、さらに、音声出力部３３および赤外線通信部３４が含まれていてもよい。
【００５５】
タッチパネル部３１は、ユーザにユーザインターフェイスを提供するものであり、合成画像表示部３１ａおよび操作受付部３１ｂにより構成される。合成画像表示部３１ａは、編集工程における編集の対象となる画像（編集対象画像）や、撮影画像に編集を施した結果（合成画像）を表示するものである。操作受付部３１ｂは、タッチペンなどのポインティングデバイスを用いることにより入力されたユーザの指示信号を受け付けて、写真撮影プリント装置１内部に伝達するものである。
【００５６】
タッチペン３２は、画像編集処理などにおいて、タッチパネル部３１上で細かな操作入力をユーザが行うためのものであり、タッチパネル部３１の近くに配備される。ユーザは、このタッチペン３２をタッチパネル部３１に接触または接近させることによって、処理の進行に応じて表示されるボタンを選択したり、落書きなどの画像描画を行ったりすることができる。
【００５７】
例えば、タッチパネル部３１の画面がタッチペン３２で押下されることにより、その位置に対応するボタンや画像を示す指示信号が、写真撮影プリント装置１内部に入力される。これにより、ユーザは、撮影画像に落書きを施したり、スタンプを押したり、また、印刷の対象となる印刷対象画像を選択したりすることができる。
【００５８】
なお、本実施形態では、複数のユーザが容易に画像編集を行うようにするために、タッチペン３２を２本配備しているが、構成の簡略化のために、１本のみを配備することもできるし、３人以上のユーザのために、３本以上を配備することもできる。
【００５９】
音声出力部３３は、各種操作上のガイダンス音声や効果音などを出力するものであり、写真撮影プリント装置１の適所に配備される。この音声出力部３３としては、例えばスピーカが用いられる。
【００６０】
赤外線通信部３４は、ユーザの携帯電話機３００などの外部装置と赤外線通信を行うものであり、写真撮影プリント装置１の適所に配備される。上記赤外線通信には、ＩｒＤＡ（Infrared Data Association）、ＩｒＳｉｍｐｌｅなどの公知の通信方式を利用できる。なお、赤外線通信の代わりに、無線ＬＡＮ、Ｂｌｕｅｔｏｏｔｈ（登録商標）、ＺｉｇＢｅｅなどの近距離無線通信を利用することもできる。
【００６１】
印刷部４は、印刷対象として選択された撮影画像および／または編集画像を印刷することにより印刷工程を実行するものであり、ＩＤタグリーダ／ライタ部４１、および、プリンタ部４２により構成されている。この印刷部４に対して、写真プリントの出力媒体となるシール紙１４２と、ＩＤタグ１４１とが、シール紙ユニット４３としてセットで納入されるようになっている。
【００６２】
プリンタ部４２は、出力すべき画像データが制御部１０から送られてくると、その画像データに基づいてシール紙１４２に印刷するものである。このプリンタ部４２としては、例えば昇華型プリンタが用いられる。なお、昇華型プリンタを用いる場合には、シール紙１４２およびＩＤタグ１４１に加えて、昇華型用インクフィルムがセットととなって納入されることになる。
【００６３】
ＩＤタグリーダ／ライタ部４１は、ＩＤタグ１４１に記録されている各種識別情報を読み出して制御部１０に出力する。ＩＤタグ１４１は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００６４】
制御部１０は、ＩＤタグリーダ／ライタ部４１で読み取った識別情報に基づいて、装着されたシール紙１４２およびインクフィルムが、当該写真撮影プリント装置１において利用可能なものであるかを判定し、利用可能である場合にのみプリンタ部４２を動作可能とする。すなわち、写真撮影プリント装置１において指定されているシール紙１４２およびインクフィルム以外は使用できないように設定されていることになる。
【００６５】
また、ＩＤタグ１４１に記録されている用紙枚数情報に基づいて、シール紙を使用するたびに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【００６６】
なお、用紙枚数をカウントダウンする際には、ＩＤタグ１４１に記録されている用紙枚数情報も書き換えることが望ましい。これにより、用紙を使い切った場合には、ＩＤタグ１４１に記録されている用紙枚数情報も０となり、このＩＤタグ１４１を無効にすることが可能となる。
【００６７】
また、ＩＤタグ１４１に記録されている用紙種類情報や、インク固有の色情報を読み出すことによって、これらを考慮して画像データの色成分などを補正することにより、そのシール紙１４２やインクフィルムに的確な画像出力を行うことが可能となる。
【００６８】
ＩＤタグ１４１としては、無線（ワイヤレス）によりデータ通信を行うことが可能な非接触型ＩＤタグと、端子が設けられた接触型ＩＤタグとがあり、ＩＤタグリーダ／ライタ部４１としては、これらの何れか一方あるいは両方に対応したものとなる。
【００６９】
なお、上述の例では、利用可能なシール紙１４２であるか否かを確認するために、ＩＤタグ１４１を利用しているが、これに限定されるものではなく、例えば、シール紙１４２およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００７０】
なお、本実施形態では、シール紙１４２として、粘着シートおよび該粘着シートの粘着面に貼り付けられている剥離シートからなるシールシートを想定しているが、これに限定されない。シール紙１４２の代わりに、通常の紙状媒体である紙状シートを用いるように本発明の写真撮影プリント装置１を構成することもできる。
【００７１】
通信部６は、画像保管サーバ２００などの外部装置とデータ通信を行うためのものである。具体的には、通信部６は、制御部１０から受信した各種データを、通信に適した信号形式に変換し、変換した信号を有線または無線で送信する。また、通信部６は、有線または無線で受信した信号を装置内部のデータ形式に変換した後、制御部１０に送信する。
【００７２】
なお、図には示していないが、写真撮影プリント装置１は、カーテン部を備えていてもよい。カーテン部は、撮影画像の背景となるカーテンを提供するものである。カーテンは、さまざまな色や模様を施されたものが用意され、撮影時に、ユーザが自由に選択できたり、写真撮影プリント装置１が自動で選択したりする。これら複数のカーテンは、撮影空間の背面（撮影部２の対面）に重ねて配置されており（図３の（ａ）および（ｂ））、撮影時には、選択されたカーテンが、被写体の背後に写るよう、最前面に設置される。選択されたカーテンの設置は、制御部１０がカーテン部を制御することにより実行してもよいし、ユーザ自身が手動で行う構成としてもよい。
【００７３】
また、本実施形態では、カーテン部が複数のカーテンを提供する構成としたが、これに限定されない。カーテン部で設置可能なカーテンを１種類としてもよい。この場合は、合成用の背景画像を複数種類用意して、編集工程においてユーザが所望する背景画像を合成するようにすれば、カーテンの種類が１つしかなくても、ユーザの多様な好みに対応することができる。
【００７４】
（写真撮影プリント装置の構成−詳細）
次に、写真撮影プリント装置１の制御部１０および記録部５０についてより詳細に説明する。図６に示すとおり、制御部１０は、さらに内部に撮影画像取得部１１、画像編集部（編集手段）１２、印刷画像作成部１３、送信画像作成部１５、画像サイズ設定部１６、および送信原画像作成部（画像作成手段）１７を有している。
【００７５】
記録部５０は、撮影画像を記録する撮影画像記録部５１、画像編集において提供される、背景画像、フレーム画像、スタンプ画像などの編集用画像を記録する編集用画像記録部５２、編集画像の編集内容に関する編集内容情報を記録する編集内容記録部５３、印刷画像を記録する印刷画像記録部５４、送信原画像を記録する送信原画像記録部５６、各種の携帯電話機３００の表示画面に適合する縦横比および画像サイズを含む画像サイズＤＢ（データベース）を記録する画像サイズＤＢ記録部５５、ユーザのメールアドレスを記録するメールアドレス記録部５７、および、ユーザを識別するためのユーザＩＤを記録するＩＤ記録部５８を含んでいる。
【００７６】
撮影画像取得部１１は、被写体の撮影によって作成された撮影画像をカメラ部２３から取得するものである。撮影画像取得部１１は、取得した撮影画像を撮影画像記録部５１に記録する。
【００７７】
画像編集部１２は、ユーザの操作に従って、撮影画像に対し画像編集を実行するものである。本実施形態では、画像編集部１２は、ユーザの操作に従って、送信原画像に対し画像編集をさらに実行するものである。画像編集の例としては、編集用画像記録部５２から読み出した背景画像および／またはフレーム画像を追加したり、編集用画像記録部５２から読み出したスタンプ画像を任意の位置に追加したり、タッチペンによる落書きを追加したりすることなどが挙げられる。しかしながら、画像編集は、上述した例に限定されず、写真撮影プリント装置１に接続された何らかの入力手段（入力部）をユーザが操作することによって、編集が実行され、当初の撮影画像および送信原画像に変更が加えられた結果としての合成画像を得られる編集であれば、どのような処理内容の編集工程であってもよい。
【００７８】
そして、画像編集部１２は、編集内容に関する編集内容情報を編集内容記録部５３に記録している。編集内容情報には、ユーザが利用した背景画像の識別情報、ユーザが利用したフレーム画像の識別情報、ユーザが利用したスタンプ画像の識別情報および書込み位置情報、落書き画像の情報などが含まれる。制御部１０は、編集内容記録部５３に記録された編集内容情報に基づき、編集用画像記録部５２に記録された編集用画像を利用することにより編集画像を作成することができ、作成した編集画像と、撮影画像記録部５１に記録された撮影画像とを合成することにより、合成画像を作成することができ、上記編集画像と、送信原画像記録部５６に記録された送信原画像とを合成することにより、送信画像を作成することができる。
【００７９】
印刷画像作成部１３は、複数の分割領域のそれぞれに、該分割領域のサイズに合わせた合成画像を配置した印刷画像を作成するものである。印刷画像における編集画像のサイズおよび配置は、通常、ユーザが複数のパターンの中から１つを選択することによって決定されるが、ユーザが自由に決定してもよいし、写真撮影プリント装置１がランダムに決定しても良い。印刷画像作成部１３は、作成した印刷画像記録部５４に記録する。そして、制御部１０は、適当なタイミングで印刷画像記録部５４に記録された印刷画像をシール紙１４２に印刷するようにプリンタ部４２に指示する。
【００８０】
送信画像作成部１５は、上記送信画像を作成するものである。送信画像作成部１５は、作成した送信画像の情報に、メールアドレス、ユーザＩＤなどの付加情報を追加して、通信部６を介して画像保管サーバ２００に送信する。なお、送信画像作成部１５は、作成した送信画像の情報を、赤外線通信部３４を介してユーザの携帯電話機３００に直接送信してもよい。
【００８１】
画像サイズ設定部１６は、携帯電話機３００の表示画面に適合する画像サイズであって、ユーザが所望する画像サイズ（設定枠）を、画像サイズＤＢ記録部５５に記録された画像サイズＤＢを利用して設定するものである。画像サイズ設定部１６は、設定された画像サイズを送信原画像作成部１７に送信する。
【００８２】
送信原画像作成部１７は、画像サイズ設定部１６からの画像サイズに基づき、撮影画像から送信原画像を作成するものである。送信原画像作成部１７は、作成された送信原画像を送信原画像記録部５６に記録する。なお、画像編集部１２、画像サイズ設定部１６、および送信原画像作成部１７の詳細については後述する。
【００８３】
（画像保管サーバの構成）
次に、画像保管サーバ２００の構成について、図７を参照して説明する。図７は、画像保管サーバ２００の概略構成を示している。画像保管サーバ２００は、写真撮影プリント装置１から送られてきた送信画像情報を保管すると共に、携帯電話機３００からのアクセスに対して、ＷＥＢページの形式で、保管している合成画像情報を提供するサーバ装置である。図示のように、画像保管サーバ２００は、制御部２１０、記録部２１１、および通信部２１２を備えた構成である。なお、制御部２１０、記録部２１１、および通信部２２２は、写真撮影プリント装置１の制御部１０、記録部５０、および通信部６と同様に機能するので、その説明を省略する。
【００８４】
図７に示すように、制御部２１０は、送信画像取得部２２０、保存ＵＲＬ（Uniform Resource Locator）作成部２２１、ＩＤ認証部２２２、および送信画像検索部２２３を含んでいる。また、記録部２１１は、ユーザＩＤを記録するＩＤ記録部２２５、送信画像情報を記録する送信画像記録部２２６、および、上記ユーザＩＤと上記送信画像の識別情報（例えばファイル名）とを対応付けた対応情報を記録する対応情報記録部２２７を含んでいる。
【００８５】
送信画像取得部２２０は、写真撮影プリント装置１から送られてくる送信画像情報および付加情報を通信部２１２を介して取得するものである。送信画像取得部２２０は、取得した送信画像情報を送信画像記録部２２６に記録し、付加情報に含まれるユーザＩＤをＩＤ記録部２２５に記録すると共に、送信画像の識別情報とユーザＩＤとを対応付けて、対応情報記録部２２７に記録する。また、送信画像取得部２２０は、付加情報に含まれるメールアドレスを保存ＵＲＬ作成部２２１に送出する。
【００８６】
保存ＵＲＬ作成部２２１は、画像保管サーバ２００にアクセスするためのＵＲＬ情報（ＷＥＢアドレス）であって、送信画像情報が保存されている場所へのパスを含むＵＲＬ情報である保存ＵＲＬ情報を作成するものである。保存ＵＲＬ作成部２２１は、作成した保存ＵＲＬ情報を含み、送信画像取得部２２０から受け取ったメールアドレスを宛先とする電子メールを生成して、通信部２１２を介して送信する。これにより、上記電子メールがユーザの携帯電話機３００に対して送信されることになる。
【００８７】
ＩＤ認証部２２２は、携帯電話機３００から上記保存ＵＲＬにアクセスされ、携帯電話機３００から通信部２１２を介してユーザＩＤを取得した場合に、取得したユーザＩＤと、ＩＤ記録部２２５に記録されたユーザＩＤと照合することにより、認証を行うものである。ＩＤ認証部２２２は、上記認証に成功した場合、認証されたユーザＩＤを送信画像検索部２２３に送出する一方、上記認証に失敗した場合、エラーメッセージを通信部２１２を介して携帯電話機３００に送信する。
【００８８】
送信画像検索部２２３は、ＩＤ認証部２２２から受け取ったユーザＩＤに対応する送信画像情報を送信画像記録部２２６から検索するものである。具体的には、送信画像検索部２２３は、上記ユーザＩＤに対応する送信画像の識別情報を対応情報記録部２２７から読み出し、読み出した送信画像識別情報に対応する送信画像情報を送信画像記録部２２６から読み出している。送信画像検索部２２３は、検索した送信画像情報を、通信部２１２を介して携帯電話機３００に送信する。
【００８９】
なお、本実施形態では、画像保管サーバ２００は、１台のサーバ装置が有する機能によって実現される構成となっているが、複数のサーバ装置によって実現される構成としてもよい。
【００９０】
（写真撮影プリント装置の要部構成）
次に、写真撮影プリント装置１の制御部１０における画像編集部１２、画像サイズ設定部１６、および送信原画像作成部１７の詳細について、図１および図８を参照して説明する。図１は、画像サイズ設定部１６および送信原画像作成部１７の概略構成を示している。図示のように、画像サイズ設定部１６は、作成指示取得部１６０、縦横比選択部１６１、サイズ選択部１６２、および決定指示取得部１６３を含んでいる。
【００９１】
作成指示取得部１６０は、送信原画像の作成指示を、ユーザからタッチパネル部３１を介して取得するものである。作成指示取得部１６０は、上記作成指示を取得すると、縦横比選択部１６１に通知する。
【００９２】
縦横比選択部１６１は、ユーザの所望する縦横比を選択するものである。具体的には、縦横比選択部１６１は、画像サイズＤＢ記録部５５から読み出した各種の縦横比を、タッチパネル部３１を介してユーザに提示し、ユーザからタッチパネル部３１を介しての指示に基づいて上記縦横比を選択している。縦横比選択部１６１は、選択した縦横比をサイズ選択部１６２および決定指示取得部１６３に送信する。
【００９３】
サイズ選択部１６２は、ユーザの所望する画像サイズを選択するものである。具体的には、サイズ選択部１６２は、縦横比選択部１６１からの縦横比に対応する各種の表示サイズを、画像サイズＤＢ記録部５５からタッチパネル部３１を介してユーザに提示し、ユーザからタッチパネル部３１を介しての指示に基づいて上記画像サイズを選択している。サイズ選択部１６２は、選択した画像サイズを決定指示取得部１６３に送信する。
【００９４】
決定指示取得部１６３は、上記縦横比および上記画像サイズの決定指示を、ユーザからタッチパネル部３１を介して取得するものである。決定指示取得部１６３は、上記決定指示を取得すると、送信原画像の画像サイズ、送信原画像に含まれる送信用撮影画像および補填画像の各画像領域を含む設定情報を作成して送信原画像作成部１７に送信する。ここで、送信用撮影画像は、送信画像用に撮影画像を変換した画像である。なお、決定指示取得部１６３は、上記設定情報の代わりに、上記縦横比および上記画像サイズを送信原画像作成部１７に送信してもよい。この場合、上記設定情報は送信原画像作成部１７にて作成されることになる。
【００９５】
図１に示すように、送信原画像作成部１７は、設定情報取得部１７０、撮影画像変換部（元画像変換手段）１７１、および補填画像作成部（補填画像作成手段）１７２を含んでいる。また、送信原画像記録部５６は、送信用撮影画像を記録する送信用撮影画像記録部５６０と、補填画像を記録する補填画像記録部５６１とを含んでいる。
【００９６】
設定情報取得部１７０は、画像サイズ設定部１６からの上記設定情報を取得するものである。設定情報取得部１７０は、取得した設定情報を撮影画像変換部１７１および補填画像作成部１７２に送信する。
【００９７】
撮影画像変換部１７１は、設定情報取得部１７０からの設定情報に基づいて、撮影画像のサイズ変換、すなわち拡大・縮小を行うものである。具体的には、撮影画像変換部１７１は、撮影画像変換部１７１から読み出した撮影画像を、上記設定情報における送信用撮影画像の画像領域に適合するようにサイズ変換している。通常、撮影画像の方が送信用撮影画像よりも大きいので、撮影画像変換部１７１は、撮影画像を縮小することになる。撮影画像変換部１７１は、サイズ変換した撮影画像を送信用撮影画像として送信用撮影画像記録部５６０に記録する。
【００９８】
補填画像作成部１７２は、設定情報取得部１７０からの設定情報に基づいて補填画像を作成するものである。具体的には、補填画像作成部１７２は、上記設定情報における補填画像の画像領域に適合するデフォルトの画像を補填画像として作成している。補填画像作成部１７２は、作成した補填画像を補填画像記録部５６１に記録する。
【００９９】
図８は、画像編集部１２の概略構成を示している。図示のように、画像編集部１２は、印刷用編集部１２０、送信用編集部（編集手段）１２１、および切替指示取得部１２２を含んでいる。
【０１００】
印刷用編集部１２０は、印刷のための合成画像を作成するために、撮影画像に対し画像編集を実行するものである。具体的には、印刷用編集部１２０は、タッチパネル部３１を介して取得したユーザからの操作に従って、撮影画像記録部５１から読み出した撮影画像に対し、編集用画像記録部５２から読み出した各種編集用画像を利用して、各種の画像編集を実行している。そして、印刷用編集部１２０は、編集内容に関する編集内容情報を編集内容記録部５３に記録している。
【０１０１】
送信用編集部１２１は、送信のための合成画像、すなわち送信画像を作成するために、送信原画像に対し画像編集を実行するものである。具体的には、送信用編集部１２１は、ユーザからタッチパネル部３１を介しての操作に従って、送信用撮影画像記録部５６０から読み出した送信用撮影画像と、補填画像記録部５６１から読み出した補填画像とに対し、編集用画像記録部５２から読み出した各種編集用画像を利用して、各種の画像編集を実行している。そして、送信用編集部１２１は、編集内容に関する編集内容情報を編集内容記録部５３に記録している。
【０１０２】
切替指示取得部１２２は、印刷用編集と送信用編集との切替指示をユーザからタッチパネル部３１を介して取得するものである。切替指示取得部１２２は、上記切替指示を取得すると、印刷用編集部１２０の実行と、送信用編集部１２１の実行とを切り替える。
【０１０３】
次に、画像編集部１２、画像サイズ設定部１６、および送信原画像作成部１７の動作について図９〜図１７を例に説明する。図９は、上記画像編集において合成画像表示部３１ａに表示される印刷用編集画面の例を示している。図示のように、印刷用編集画面には、編集対象画像表示領域Ａ１、編集ツール選択領域Ａ２、編集ツール設定領域Ａ３、消しゴムツール選択領域Ａ４、編集対象画像選択領域Ａ５、およびアドバイス表示領域Ａ６が表示されている。また、その他、残り時間表示領域、編集処理のクリア、アンドゥ、リドゥボタン、終了ボタンなどが表示されている。なお、この印刷用編集画面では、２人のユーザが同時に編集処理と送信画像の作成処理とを行うことが可能となるように、編集対象画像表示領域Ａ１、編集ツール選択領域Ａ２、編集ツール設定領域Ａ３、消しゴムツール選択領域Ａ４、および編集対象画像選択領域Ａ５が画面の左右に分かれて２カ所表示されている。
【０１０４】
編集対象画像表示領域Ａ１は、編集対象画像選択領域Ａ５において選択された撮影画像が表示されるとともに、この領域において画像の描画、貼り付けなどの編集処理が行われる領域である。なお、図９の例では、縦横比が１：１であり、画像サイズが２５００×２５００ピクセルである撮影画像に対して編集処理が行われており、編集対象画像表示領域Ａ１の表示サイズが６００×６００ピクセルであるが、これに限定されるものではない。
【０１０５】
編集ツール選択領域Ａ２は、編集処理で用いられる各種編集ツールの選択を受け付ける領域である。編集ツールとしては、ユーザの入力軌跡に対応した線画像の描画が行われるペンツールおよび手書きツール、所定の画像をユーザによって指定された編集対象画像上の位置に貼り付けるスタンプツールおよびコロコロツール、および、特殊な効果を有するスペシャルツールなどが挙げられる。ここで選択されたツールの詳細な設定が編集ツール設定領域Ａ３において行われる。なお、図９の例では、編集ツール設定領域Ａ３の表示サイズが６２０×３３０ピクセルであるが、これに限定されるものではない。
【０１０６】
消しゴムツール選択領域Ａ４は、編集処理によって撮影画像に対して付加された編集画像を消去する消しゴムツールの消去領域の大きさが選択される領域である。アドバイス表示領域Ａ６は、上記編集ツールの使い方、編集内容などをユーザに助言するための画像およびメッセージが表示される領域である。
【０１０７】
本実施形態では、上記印刷用編集画面には、送信原画像作成指示ボタンＡ７が面の左右に分かれて２カ所表示されている。送信原画像作成指示ボタンＡ７は、ユーザからの送信画像の作成指示を受け付けるためのボタンである。送信原画像作成指示ボタンＡ７が押下されると、まず、送信画像のサイズを設定する画像サイズ設定処理が行われる。
【０１０８】
図１０は、上記画像サイズ設定処理において合成画像表示部３１ａに表示される画像サイズ設定画面の一例を示している。なお、画像サイズ設定画面は、タッチパネル部３１の表示画面の約半分のサイズであり、送信原画像作成指示ボタンＡ７が選択された側に表示される。図示のように、画像サイズ設定画面には、縦横比選択領域Ｂ１、画像表示領域Ｂ２、画像サイズ選択領域Ｂ３、携帯電話機表示領域Ｂ４、送信対象画像選択領域Ｂ５、および決定指示ボタンＢ６が表示されている。
【０１０９】
縦横比選択領域Ｂ１は、送信画像の縦横比の選択を受け付ける領域である。図１０の例では、送信画像の縦横比は、左から順に、４：３（通常待ち受け）、５：３（ワイド・縦）、３：５（ワイド・横）、１：１（正方形）、および１：２１／２（ヨコ）である。なお、その他の縦横比が選択可能であってもよい。
【０１１０】
画像表示領域Ｂ２は、画像が表示される領域であり、縦横比選択領域Ｂ１にて選択された縦横比に適合するように表示サイズが変化する。図１０の例では、４：３の縦横比が選択されており、画像表示領域Ｂ２は、縦方向および横方向の表示サイズがそれぞれ５００ピクセルおよび３７５ピクセルとなる。
【０１１１】
画像表示領域Ｂ２は、送信対象画像表示領域Ｂ２０および補填画像表示領域Ｂ２１を含んでいる。送信対象画像表示領域Ｂ２０は、送信対象画像選択領域Ｂ５において選択された撮影画像が表示される領域である。なお、撮影画像に編集処理の施された画像を表示してもよい。送信対象画像表示領域Ｂ２０は、画像表示領域Ｂ２に収まるサイズであって、最も広いサイズとなっており、図１０の例では、縦方向および横方向の表示サイズがそれぞれ３７５ピクセルおよび３７５ピクセルとなる。なお、図１０の例では、送信対象画像表示領域Ｂ２０は、画像表示領域Ｂ２の中央に位置しているが、縦方向に変位可能であってもよい。
【０１１２】
補填画像表示領域Ｂ２１は、補填画像が表示される領域であり、画像表示領域Ｂ２のうち、送信対象画像表示領域Ｂ２０以外の領域である。本実施形態では、補填画像表示領域Ｂ２１には、デフォルトの補填画像（図１０の例では黒一色の画像）が表示される。
【０１１３】
画像サイズ選択領域Ｂ３は、送信画像の画像サイズの選択を受け付ける領域である。図１０の例では、画像サイズ選択領域Ｂ３にて５つの上記画像サイズを選択可能である。具体的には、左から順に、縦方向１４６０ピクセルかつ横方向１１００ピクセルの狭い画像サイズ、縦方向２１３２ピクセルかつ横方向１６００ピクセルの稍狭い画像サイズ、縦方向２５００ピクセルかつ横方向１８７６ピクセルの中程の画像サイズ、縦方向２９３２ピクセルかつ横方向２２００ピクセルの稍広い画像サイズ、および、縦方向３３３２ピクセルかつ横方向２５００ピクセルの広い画像サイズを選択可能である。なお、その他の画像サイズが選択可能であってもよい。
【０１１４】
画像サイズ選択領域Ｂ３にて選択された画像サイズに適合するように、設定枠Ｂ３０が画像表示領域Ｂ２に表示される。この設定枠Ｂ３０内の画像が送信原画像として切り取られることになる。図１０の例では、設定枠Ｂ３０の表示サイズは、上記狭い画像サイズでは縦方向２２０ピクセルかつ横方向１６５ピクセルであり、上記稍狭い画像サイズでは縦方向３２０ピクセルかつ横方向２４０ピクセルであり、上記中程の画像サイズでは縦方向３７５ピクセルかつ横方向２８１ピクセルであり、上記稍広い画像サイズでは縦方向４４０ピクセルかつ横方向３３０ピクセルであり、上記広い画像サイズでは縦方向５００ピクセルかつ横方向３７５ピクセルである。
【０１１５】
なお、図１０には、便宜上、画像サイズ選択領域Ｂ３にて選択可能な５つの画像サイズに適合する５つの設定枠Ｂ３０が全て示されているが、実際には、何れか１つの設定枠Ｂ３０が表示される。また、設定枠Ｂ３０の位置は、固定であってもよいし、移動可能であってもよい。
【０１１６】
携帯電話機表示領域Ｂ４は、携帯電話機３００とその表示画面とを模式的に表示する領域であり、設定枠Ｂ３０で切り取られた画像が、携帯電話機３００の表示画面にどのように表示されるかを示す領域である。これにより、ユーザは、自身の有する携帯電話機３００と比較して、どのような縦横比を選択し、どのような画像サイズを選択すればよいかを把握できるので、ユーザの利便性が向上する。
【０１１７】
決定指示ボタンＢ６は、設定枠Ｂ３０内の画像を送信原画像として決定するユーザからの決定指示を受け付けるためのボタンである。決定指示ボタンＢ６が押下されると、設定枠Ｂ３０内の画像を送信原画像として切り取る切取処理が行われる。図１１は、該切取処理において合成画像表示部３１ａに表示される報知画面の一例を示している。図示のように、画像の切取り中であることをユーザに報知している。
【０１１８】
上記切取処理が完了すると、上記送信原画像の編集処理が可能となる。図１２は、上記切取処理の完了後に、合成画像表示部３１ａに表示される送信用編集画面の一例を示している。送信用編集画面には、編集対象画像表示領域Ｃ１、編集ツール選択領域Ｃ２、編集ツール設定領域Ｃ３、消しゴムツール選択領域Ｃ４、編集対象画像選択領域Ｃ５、アドバイス表示領域Ｃ６、送信原画像編集指示ボタンＣ７、背景色選択領域Ｃ８、補填画像色選択領域Ｃ９、およびやり直しボタンＣ１０が表示されている。
【０１１９】
なお、編集ツール選択領域Ｃ２、編集ツール設定領域Ｃ３、消しゴムツール選択領域Ｃ４、編集対象画像選択領域Ｃ５、およびアドバイス表示領域Ｃ６は、図９に示す編集ツール選択領域Ａ２、編集ツール設定領域Ａ３、消しゴムツール選択領域Ａ４、編集対象画像選択領域Ａ５、およびアドバイス表示領域Ａ６と同様であるので、その説明を省略する。従って、編集対象画像選択領域Ｃ５をユーザが選択することにより、図９に示す印刷用編集画面が表示され、印刷用の画像編集を行うことができる。なお、送信画像を複数枚作成する場合には、編集対象画像選択領域Ｃ５に、編集対象の送信原画像を追加してもよい。
【０１２０】
編集対象画像表示領域Ｃ１は、上記送信原画像が表示されるとともに、この領域において画像の描画、貼り付けなどの編集処理が行われる領域である。なお、図１２の例では、縦横比が４：３であり、画像サイズが縦６４０×横４８０ピクセルである送信原画像に対して編集処理が行われており、編集対象画像表示領域Ｃ１の表示サイズが縦６００×横４５０ピクセルであるが、これに限定されるものではない。
【０１２１】
送信原画像編集指示ボタンＣ７は、ユーザからの送信原画像の編集指示を受け付けるためのボタンである。送信原画像が作成されると、図９に示す印刷用編集画面においても送信原画像作成指示ボタンＡ７が送信原画像編集指示ボタンＣ７に変更される。そして、上記印刷用編集画面にて印刷用の画像編集を行っているときに、送信原画像編集指示ボタンＣ７が押下されると、図１２に示す送信用編集画面が表示され、送信用の画像編集を行うことができる。
【０１２２】
なお、送信用編集画面において送信原画像編集指示ボタンＣ７が押下されることにより、送信用の画像編集を終了してもよい。この場合、図９に示す印刷用編集画面に戻り、送信原画像編集指示ボタンＣ７が送信原画像作成指示ボタンＡ７に変更されることになる。また、送信用の画像編集を終了するための「終了」ボタンを、送信用編集画面の任意の位置に設けてもよい。
【０１２３】
背景色選択領域Ｃ８および補填画像色選択領域Ｃ９は、送信用の画像編集に表示される。背景色選択領域Ｃ８は、送信原画像における送信用撮影画像の背景色が選択される領域である。補填画像色選択領域Ｃ９は、送信原画像における補填画像の背景色が選択される領域である。このように、本実施形態では、送信用撮影画像と補填画像とを別々に画像編集することができ、ユーザの娯楽性が向上する。
【０１２４】
やり直しボタンＣ１０は、現在の送信原画像を破棄して、新たな送信原画像を作成するためのボタンである。図１３は、やり直しボタンＣ１０が押下された時に表示される警告画面の一例を示している。図示のように、警告メッセージがユーザに通知され、図示の「やりなおす」ボタンが押下されると、現在の送信原画像を破棄して、図１０に示す画像サイズ設定画面に移行する。
【０１２５】
なお、図１０および図１２は、４：３の縦横比が選択された場合の画像サイズ設定画面および送信用編集画面の例をそれぞれ示しているが、他の縦横比が選択された場合も同様である。図１４および図１５は、５：３の縦横比が選択された場合の画像サイズ設定画面および送信用編集画面の例をそれぞれ示している。また、図１６および図１７は、３：５の縦横比が選択された場合の画像サイズ設定画面および送信用編集画面の例をそれぞれ示している。図１４〜図１７を参照すると、ユーザが見易いように、選択される縦横比に応じて表示レイアウトが変更されることが理解できる。
【０１２６】
（合成画像提供システムにおける処理の流れ）
次に、合成画像提供システム１００における処理の流れについて、図１８および図１９を参照して説明する。図１８は、合成画像提供システム１００を構成する写真撮影プリント装置１、画像保管サーバ２００、および携帯電話機３００における処理の流れを示している。
【０１２７】
まず、写真撮影プリント装置１において、プレイ開始の受付処理として、撮影画像表示部２４に待機状態のデモンストレーション画面（デモ画面）が表示される。このデモ画面には、写真撮影プリント装置１のマシーン名称、略称、概略等の情報が含まれる。なお、上記デモ画面において、「コインを投入してね」というような、ユーザにコイン投入を促すメッセージを表示してもよい。
【０１２８】
撮影空間に進入したユーザにより硬貨処理部２１にコイン投入がなされ、制御部１０による課金処理が終了すると、写真撮影プリント装置１では、撮影画像表示部２４の表示画面を撮影処理用画面に切り替えて受付処理を完了し、写真撮影プリント装置１における公知のゲーム処理が行われる。すなわち、制御部１０は、撮影処理を行うと共に（ステップ１０、以降、Ｓ１０のように称する）、ユーザは、撮影空間で複数回の写真撮影を行う。この時ユーザは、カメラ画像表示部２５に表示されている自身の姿を視認しながら、写真撮影をすることができる。上記写真撮影により、撮影画像取得部１１が撮影画像情報を取得して撮影画像記録部５１に記録する。
【０１２９】
上記撮影処理が終了すると、画像編集部１２が、撮影画像記録部５１に記録された撮影画像に対して、編集処理を行う（Ｓ１１）。この編集処理では、合成画像表示部３１ａに、落書きなどの画像編集処理時における編集対象の画像および各種編集ツールなどが表示され、ユーザからのタッチペン３２および操作受付部３１ｂによる入力指示に基づいて、各種編集処理が行われる。
【０１３０】
図１９は、編集処理の流れを示している。まず、画像サイズ設定部１６の作成指示取得部１６０が、ユーザからの送信原画像の作成指示を取得したか否かを判断する（Ｓ４０）。取得しなかった場合には、Ｓ４６に進む。
【０１３１】
一方、取得した場合には、画像サイズ設定部１６は、縦横比選択部１６１が、ユーザからの指示に従って、縦横比を選択し（Ｓ４１）、サイズ選択部１６２が、ユーザからの指示に従って、画像サイズを選択する（Ｓ４２）。次に、画像サイズ設定部１６の決定指示取得部１６３が、ユーザからの上記縦横比および上記画像サイズの決定指示を取得したか否かを判断する（Ｓ４３）。取得しなかった場合には、Ｓ４１に戻って上記動作を繰り返す。
【０１３２】
一方、取得した場合には、送信原画像作成部１７の撮影画像変換部１７１が、上記縦横比および上記画像サイズに基づいて、撮影画像を変換し、変換した撮影画像を送信用撮影画像として送信用撮影画像記録部５６０に記録する（Ｓ４４）。また、必要があれば、送信原画像作成部１７の補填画像作成部１７２が、上記縦横比および上記画像サイズに基づいて、補填画像を作成し、作成した補填画像を補填画像記録部５６１に記録する（Ｓ４５）。その後、Ｓ４９に進む。
【０１３３】
Ｓ４６において、画像編集部１２は、送信原画像が送信原画像記録部５６に記録されているか否かを判断する（Ｓ４６）。記録されていない場合には、画像編集部１２は、印刷用編集部１２０に印刷用の画像編集を実行させる（Ｓ４７）。一方、記録されている場合には、画像編集部１２は、ユーザからの切替指示に基づき、印刷用編集部１２０における印刷用の画像編集と、送信用編集部１２１における送信用の画像編集とを切り替えて実行する（Ｓ４８）。
【０１３４】
Ｓ４９にて、制御部１０は、終了ボタンが押下されたか否かを判断する（Ｓ４９）。押下されなかった場合には、Ｓ４０に戻って上記動作を繰り返す。一方、押下された場合には、編集処理を終了し、元のルーチンに戻る。
【０１３５】
図１８に示すように、上記編集処理が終了すると、印刷画像作成部１３が印刷画像を作成し、作成した印刷画像をシール紙１４２に印刷するようプリンタ部４２に指示する印刷処理を行う（Ｓ１２）。この印刷処理が行われている間に、送信画像作成部１５が、送信用撮影画像、補填画像、および編集画像を合成した画像を送信画像として作成し、作成した送信画像情報と、ユーザＩＤおよびメールアドレスを含む付加情報とを画像保管サーバ２００に送信する（Ｓ１２）。その後、写真撮影プリント装置１の処理は終了する。
【０１３６】
一方、画像保管サーバ２００では、送信画像取得部２２０が、写真撮影プリント装置１から送信画像情報、メールアドレス、およびユーザＩＤを受信すると（Ｓ２０）、ユーザＩＤをＩＤ記録部５７に記録し、送信画像情報を送信画像記録部２２６に記録して、ユーザＩＤと送信画像情報との対応付けを行い、該対応付けを示す対応情報を対応情報記録部２２７に記録する（Ｓ２１）。次に、保存ＵＲＬ作成部２２１は、上記送信画像情報が保存されている場所を示す保存ＵＲＬ情報を作成し、作成した保存ＵＲＬ情報を、上記メールアドレスを宛先とする電子メールで通知する（Ｓ２２）。
【０１３７】
一方、ユーザの携帯電話機３００は、上記保存ＵＲＬ情報を含む電子メールを受信すると（Ｓ３０）、ユーザの指示により上記保存ＵＲＬにアクセスし、ユーザＩＤを送信する（Ｓ３１）。このとき、画像保管サーバ２００では、ＩＤ認証部２２２が携帯電話機３００から受信したユーザＩＤを認証し、認証されたユーザＩＤに対応する送信画像情報を、送信画像検索部２２３が送信画像記録部２２６から検索する（Ｓ２３）。
【０１３８】
そして、送信画像検索部２２３が、検索した送信画像情報を携帯電話機３００に送信し（Ｓ２４）、携帯電話機３００が上記送信画像情報を受信した後（Ｓ３２）、合成画像提供システム１００の処理動作を終了する。
【０１３９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４０】
例えば、上記実施形態では、撮影画像の縦横比に対応する画像サイズに対してユーザが設定した設定枠に基づき、撮影画像から送信原画像を作成することを、写真撮影プリント装置１が実行しているが、画像保管サーバ２００が実行することもできる。この場合、写真撮影プリント装置１から画像保管サーバ２００に撮影画像またはその縮小画像を送信し、写真撮影プリント装置１の画像サイズ設定部１６、送信原画像作成部１７、画像サイズＤＢ記録部５５、送信原画像記録部５６、および送信用編集部１２１を画像保管サーバ２００に設ければよい。
【０１４１】
また、上記実施形態では、上記撮影画像から上記送信原画像を作成しているが、上記撮影画像に上記編集画像を合成した合成画像から上記送信原画像を作成してもよい。この場合、送信用の画像編集を省略して、上記送信原画像を上記送信画像としてもよい。
【０１４２】
最後に、写真撮影プリント装置１および画像保管サーバ２００の各ブロック、特に制御部１０・２１０は、ハードウェアロジックによって構成してもよいし、次のようにＣＰＵを用いてソフトウェアによって実現してもよい。
【０１４３】
すなわち、写真撮影プリント装置１および画像保管サーバ２００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである写真撮影プリント装置１および画像保管サーバ２００の制御プログラムのプログラムコード（実行形式プログラム、中間コードプログラム、ソースプログラム）をコンピュータで読み取り可能に記録した記録媒体を、上記写真撮影プリント装置１および画像保管サーバ２００に供給し、そのコンピュータ（またはＣＰＵやＭＰＵ）が記録媒体に記録されているプログラムコードを読み出し実行することによっても、達成可能である。
【０１４４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４５】
また、写真撮影プリント装置１および画像保管サーバ２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４６】
本発明によれば、設定枠が対応枠からはみ出す場合、縦方向および横方向の何れか一方にはみ出し、はみ出した部分に補填画像を追加することにより、ユーザが所望する縦横比で、かつ、ユーザが所望する部分を切り抜くことができるので、写真撮影プリント装置や画像保管サーバ以外にも、元画像を、別の縦横比を有する新画像に変換する任意の画像処理装置に適用することができる。
【符号の説明】
【０１４７】
１  写真撮影プリント装置（撮影編集装置）
２  撮影部
３  編集部
４  印刷部
６  通信部
１０  制御部（画像処理装置、表示制御手段）
１１  撮影画像取得部
１２  画像編集部（編集手段）
１３  印刷画像作成部
１５  送信画像作成部
１６  画像サイズ設定部
１７  送信原画像作成部（画像作成手段）
３１  タッチパネル部
５０  記録部
５１  撮影画像記録部
５２  編集用画像記録部
５３  編集内容記録部
５４  印刷画像記録部
５５  画像サイズＤＢ記録部
５６  送信原画像記録部
５７  ＩＤ記録部
５７  メールアドレス記録部
５８  ＩＤ記録部
１００  合成画像提供システム
１２０  印刷用編集部
１２１  送信用編集部（編集手段）
１２２  切替指示取得部
１６０  作成指示取得部
１６１  縦横比選択部
１６２  サイズ選択部
１６３  決定指示取得部
１７０  設定情報取得部
１７１  撮影画像変換部（元画像変換手段）
１７２  補填画像作成部（補填画像作成手段）
２００  画像保管サーバ
２１０  制御部
２１１  記録部
２１２  通信部
２２０  送信画像取得部
２２１  保存ＵＲＬ作成部
２２２  ＩＤ認証部
２２３  送信画像検索部
２２５  ＩＤ記録部
２２６  送信画像記録部
２２７  対応情報記録部
３００  携帯電話機
４００  通信媒体
４０１  通信媒体
５６０  送信用撮影画像記録部
５６１  補填画像記録部
【図１】
0005515464.tif 000002
【図２】
0005515464.tif 000003
【図３】
0005515464.tif 000004
【図４】
0005515464.tif 000005
【図５】
0005515464.tif 000006
【図６】
0005515464.tif 000007
【図７】
0005515464.tif 000008
【図８】
0005515464.tif 000009
【図９】
0005515464.tif 000010
【図１０】
0005515464.tif 000011
【図１１】
0005515464.tif 000012
【図１２】
0005515464.tif 000013
【図１３】
0005515464.tif 000014
【図１４】
0005515464.tif 000015
【図１５】
0005515464.tif 000016
【図１６】
0005515464.tif 000017
【図１７】
0005515464.tif 000018
【図１８】
0005515464.tif 000019
【図１９】
0005515464.tif 000020